(57)【要約】      （修正有）【課題】部品の合わせ目から電磁波が漏れるのを抑制できるＥＭＩガスケット機構を提供する。【解決手段】ＥＭＩガスケット機構２００は、拡張可能なＥＭＩガスケット２０６と、ＥＭＩガスケット２０６を間に挟む二枚の押圧部材２０２、２０４と、これら二枚の押圧部材２０２、２０４間の距離を縮めてＥＭＩガスケット２０６を押圧するカムレバー２２２、２２４とを有する。電磁シールドされた筐体の開口部にＥＭＩガスケット機構２００が装着され、カムレバー２２２、２２４を動かすと、ＥＭＩガスケット２０６が押圧されて押圧部材２０２、２０４の縁部２２１、２２３よりも外側にはみ出す。はみ出たＥＭＩシールド２０６が開口部の表面に押し付けられてＥＭＩシールドが達成される。【選択図】    図４
2005101608.tif 000002
【特許請求の範囲】
【請求項１】
表面の前方の空間をシールし、それによって、ＥＭＩ放射が前記空間を通過するのを抑制または防止するためのＥＭＩガスケット機構であって、
押圧部材としての第１のジョーと、
前記第１のジョーからある距離だけ離れて配置された押圧部材としての第２のジョーであって、前記第１および第２のジョーにより、その間に領域を画定する、第２のジョーと、
前記第１および第２のジョーの間の前記領域に配設された弾性ＥＭＩガスケットと、
駆動部であって、前記第１および第２のジョーに動作可能に連結されていて、前記駆動部が動かされると、前記第１および第２のジョーの間の距離が減少するように構成され、それによって、前記弾性ＥＭＩガスケットを前記第１および第２のジョーの間で押圧し、かつ前記弾性ＥＭＩガスケットの一部をはみ出させることにより、前記弾性ＥＭＩガスケットのはみ出し部分が強制的に前記表面と接触させられ、それによって、ＥＭＩ放射の通過に対して前記表面の前方の空間をシールする駆動部と
を備えることを特徴とするＥＭＩガスケット機構。
【請求項２】
前記第１のジョーは、外側縁部を有し、
前記駆動部が動かされ、前記弾性ＥＭＩガスケットが前記第１および第２のジョーの間で押圧されると、前記弾性ＥＭＩガスケットは、前記第１のジョーの前記外側縁部からはみ出すことを特徴とする、請求項１に記載のＥＭＩガスケット機構。
【請求項３】
前記第１のジョーは、外側縁部を有し、
前記第２のジョーは、外側縁部を有し、
前記駆動部が動かされ、前記弾性ＥＭＩガスケットが前記第１および第２のジョーの間で押圧されると、前記弾性ＥＭＩガスケットは、前記第１のジョーの前記外側縁部および前記第２のジョーの前記外側縁部からはみ出すことを特徴とする、請求項１に記載のＥＭＩガスケット機構。
【請求項４】
前記駆動部は、カムレバーを備えることを特徴とする、請求項１に記載のＥＭＩガスケット機構。
【請求項５】
前記弾性ＥＭＩガスケットに隣接した停止部をさらに備え、
前記駆動部が動かされ、前記弾性ＥＭＩガスケットが前記第１および第２のジョーの間で押圧されると、前記停止部は、前記弾性ＥＭＩガスケットのはみ出し部分が前記表面から離れる方向へ向かうのを制限することを特徴とする、請求項１に記載のＥＭＩガスケット。
【請求項６】
前記第１のジョーは、段付き形状を有するプレートを備えることを特徴とする、請求項１に記載のＥＭＩガスケット機構。
【請求項７】
前記第２のジョーは、圧縮リングを備えることを特徴とする、請求項１に記載のＥＭＩガスケット機構。
【請求項８】
表面の前方の空間をシールし、それによって、ＥＭＩ放射が前記空間を通過するのを抑制すなわち防止するためのＥＭＩガスケット機構であって、
膨張式弾性ＥＭＩガスケットと、
前記膨張式弾性ＥＭＩガスケットと流体連通するポンプ部と、
駆動部であって、前記ポンプ部に動作可能に連結され、前記駆動部が動かされると前記ポンプ部を動作させるように構成され、それによって、前記弾性ＥＭＩガスケットを膨張させ、前記弾性ＥＭＩガスケットの一部をはみ出させることで、前記弾性ＥＭＩガスケットの前記はみ出した一部が強制的に前記表面と接触させられ、それによって、ＥＭＩ放射の通過に対して前記表面の前方の空間をシールする駆動部と
を備えることを特徴とするＥＭＩガスケット機構。
【請求項９】
前記駆動部は、カムレバーを備えることを特徴とする、請求項８に記載のＥＭＩガスケット機構。
【請求項１０】
前記ポンプ部は、ブラダーを備え、前記駆動部は、前記駆動部が動かされると、前記ブラダーを押圧するように構成されていることを特徴とする、請求項８に記載のＥＭＩガスケット機構。
【発明の詳細な説明】
【技術分野】
【０００１】
本発明は、包括的に、電磁妨害（ＥＭＩ）シールドに関し、特に、拡張するＥＭＩガスケットを有するＥＭＩシールドに関する。
【背景技術】
【０００２】
テレビ、ラジオ、コンピュータ、医療器具、ビジネス機械、通信機器等の電子デバイスを動作させると、望ましくない電磁妨害（ＥＭＩ）放射が生成される。このＥＭＩ放射は、大抵の場合、一般に電磁スペクトルの約１０ＫＨｚ〜１０ＧＨｚとの間の無線周波数帯域内の電磁界あるいは過渡現象として生ずる。ＥＭＩ放射は、問題を引き起こす場合がある。なぜなら、ＥＭＩ放射は、他の電子デバイスの適切な動作に干渉する可能性があるからである。
【０００３】
ＥＭＩシールドは、ＥＭＩ放射を抑制するために一般に用いられる。ＥＭＩシールドは、通常、導電性材料から構築され、ＥＭＩ放射を吸収するように構成され、また、吸収したＥＭＩ放射を、低インピーダンス無線周波数（ＲＦ）経路を介して電気的グラウンドに流すことを可能にするように構成される。ＥＭＩシールドは、デバイスによって生成されるＥＭＩ放射を閉じ込めるか、または他のデバイスによって生成されたＥＭＩ放射からデバイスを保護するように用いられることができる。一般に、ＥＭＩシールドは、デバイスを封入する筐体として、または対になったデバイス間に挿入されるバリアとして提供される。
【０００４】
今日まで、ＥＭＩの抑制は、ＥＭＩ放射がＥＭＩシールド内の小さな間隙を通って移動することができるために困難であるとされてきた。ＥＭＩ遮蔽されたデバイス筐体内に収容されているにもかかわらず、電子デバイスは、大抵の場合、デバイス筐体内の間隙を通って侵入または流出するＥＭＩ放射を受けるかまたは生成する。たとえば、これらのデバイス筐体は、大抵の場合、デバイス筐体によって封入されているデバイスにアクセスさせるアクセスポート、蓋、または側部パネルを有する。たとえば、これらのアクセスポート等が完全に嵌合していないと、かなりの量のＥＭＩ放射が通過するのに十分に大きな間隙が残る場合がある。これらの間隙は、いわゆる「ブレードシステム」において特に一般的に見られる。ブレードシステムは、シャーシの前部パネル内の開口部から、交換可能なプリント回路基板（ブレード）をシャーシに差し込むことができるシステムである。
【発明の開示】
【発明が解決しようとする課題】
【０００５】
ブレードシステムに対してＥＭＩ放射が侵入もしくは流出するのを防止または少なくとも最小限に抑えるために、各ブレードは、通常、ハンドル、フィラーパネル、バルクヘッド、またはＥＭＩシールドを有する他の構造（以下、総称的に「バルクヘッド」と呼ぶ）を含む。バルクヘッドは、ブレードがシャーシに取り付けられると、ブレードが取り付けられる際に通る開口部をバルクヘッドが埋めるように構成され、その大きさに作られる。バルクヘッドの周囲における表面、縁部、フランジ、または他の構造（以下、総称的に、「表面」または「合わせ面」と呼ぶ）は、一般に、ブレードがシャーシに取り付けられると、開口部の周囲の対応する面と合わさるように構成されている。残念なことに、厳しい製造公差でも、ＥＭＩ放射がこられの合わせ面の間の間隙を通過するのを適切に防止するには不十分であることが分かった。それゆえ、弾力性のある導電性ＥＭＩガスケットは、大抵の場合、開口部を画定するバルクヘッドまたは構造の周囲表面に取付けられる。したがって、ブレードが取り付けられると、ＥＭＩガスケットは、バルクヘッドおよび開口部の合わせ面の間で圧縮される。（以下、「面」または「合わせ面」は、バルクヘッドと開口部と他の物体との間の接触点もしくは線に存在する場合には、ＥＭＩガスケットも含む。）
【０００６】
これらの合わせ面の間の圧縮力は、ＥＭＩガスケットにいかなる間隙も埋めるように促し、それによって、これらの合わせ面の間に連続したＥＭＩシールドを維持することを意図している。しかし、同時に、ブレードをシャーシのソケットに差し込み、間隙を埋めるようにＥＭＩガスケットを十分に圧縮するには、大きな力が必要である。これらの力は、ブレードに対して過度の応力を生じさせ、ブレード上の構成要素すなわちプリント回路配線を損傷しかねない。これらの力はまた、バルクヘッドまたは開口部を歪ませ、それによって、合わせ面の間に他の間隙を生じさせるか、または合わせ面の間にすでに存在する間隙を大きくする場合がある。さらに、ＥＭＩガスケットの有効性は、ガスケットの弾性に依存する。しかし、ＥＭＩガスケットを圧縮するために必要な大きな力は、大抵の場合、永久的にＥＭＩガスケットを変形させるかまたはその弾性を低減させるため、ガスケットが再利用に対して有効性が減るか、または有効でなくなる。
【０００７】
ブレードシステムシャーシには、前部パネル内に各ブレードに対し別個の開口部を有さないものがある。その代わりに、各前部パネルは、１つの大きな開口部を有し、その開口部を通して、複数のブレードが互いに隣接して取り付けることができる。このタイプのブレードシステムでは、各ブレード上のＥＭＩガスケットは、隣接したブレードの合わせ面と接触することが意図されている。しかし、いくつかの永久的に変形した（すなわち、サイズの小さくなった）ＥＭＩガスケットまたは複数の隣接したバルクヘッド内の寸法誤差の蓄積により、十分に密集して実装されたシャーシ内のバルクヘッド間の嵌合が過剰にきつくなったり、過剰に緩くなったりする場合がある。嵌合が過剰に緩くなることにより、ＥＭＩシールドに間隙が生じ、嵌合が過剰にきつくなることにより、過剰な挿入力なしには最後のブレードを取り付けることが困難または不可能になる。
【０００８】
したがって、従来技術で生じていた問題の発生がなく、ブレードシステムにおいて用いることができる有効なＥＭＩシール機構が求められている。
【課題を解決するための手段】
【０００９】
本発明の一態様において、表面の前方の空間をシールし、それによって、ＥＭＩ放射が空間を通過するのを抑制または防止するためのＥＭＩガスケット機構が開示される。ＥＭＩガスケット機構は、押圧部材としての第１のジョーと、第１のジョーからある距離だけ離れて配置された、押圧部材としての第２のジョーとを含み、第１および第２のジョーは、その間に領域を画定する。ＥＭＩガスケット機構はまた、第１および第２のジョーの間の領域に配設された弾性ＥＭＩガスケットを有する。ＥＭＩガスケット機構はまた、第１および第２のジョーに動作可能に連結し、駆動部が動かされると、第１および第２のジョーの間の距離を減少させるように構成され、それによって、弾性ＥＭＩガスケットを第１および第２のジョーの間で押圧し、弾性ＥＭＩガスケットの一部をはみ出させる、駆動部を有する。弾性ＥＭＩガスケットが押圧されると、弾性ＥＭＩガスケットのはみ出し部分が強制的に表面と接触され、それによって、ＥＭＩ放射の通過に対して、表面の前方の空間をシールする。
【００１０】
本発明の別の態様において、表面の前方の空間をシールし、それによって、ＥＭＩ放射が空間を通過するのを抑制すなわち防止するためのＥＭＩガスケット機構が開示される。ＥＭＩガスケット機構は、膨張式弾性ＥＭＩガスケットと、膨張式弾性ＥＭＩガスケットと流体連通するポンプ部とを有する。ＥＭＩガスケット機構はまた、ポンプ部に動作可能に連結し、駆動部が動かされることによりポンプを動作させるように構成され、それによって、弾性ＥＭＩガスケットを膨張させ、弾性ＥＭＩガスケットの一部をはみ出させる、駆動部を有する。膨張式弾性ＥＭＩガスケットの連結が完了する（complete）と、弾性ＥＭＩガスケットのはみ出し部分が強制的に表面と接触され、それによって、ＥＭＩ放射の通過に対して表面の前方の空間をシールする。
【００１１】
本発明のさらに他の態様では、表面の前方の空間をシールし、それによって、ＥＭＩ放射が空間を通過するのを抑制すなわち防止する方法が開示されている。本方法は、弾性ＥＭＩガスケットを表面の前方の空間内に位置決めし、弾性ＥＭＩガスケットを押圧し、それによって、弾性ＥＭＩガスケットの一部をはみ出させて表面と接触させることを含む。
【００１２】
本発明の他の態様では、表面の前方の空間をシールし、それによって、ＥＭＩ放射が空間を通過するのを抑制すなわち防止する方法が開示されている。本方法は、表面の前方の空間内に膨張式弾性ＥＭＩガスケットを位置決めし、その膨張式弾性ＥＭＩガスケットを膨張させ、それによって、膨張式弾性ＥＭＩガスケットの一部をはみ出させて表面と接触させることを含む。
【００１３】
本発明のさらに他の態様では、デバイスを筐体内に取り付ける方法であって、デバイスの取り付けは、デバイスと、筐体上または隣接したデバイス上の合わせ面との間の空間を、ＥＭＩ放射の該空間の通過に対してシールすることを必要とするデバイスの取り付け方法が開示されている。本方法は、デバイスを筐体に挿入すること、およびデバイスが筐体に挿入された後、デバイスに与えられる挿入力に依存しないＥＭＩガスケット機構を始動させることを含む。
【００１４】
本発明のこれらおよびその他の特徴および利点、ならびに本発明の様々な実施形態の構造および動作は、添付の図面を参照しながら、以下に詳細に記載される。図面では、同様の参照符号は、同一または機能的に同様の構成要素を指し、各構成要素の各参照符号の１番目の数字はその構成要素が最初に導入される図を特定する。
【発明を実施するための最良の形態】
【００１５】
本発明は、ＥＭＩ放射の通過に対して（通過を抑制するように）、空間をシールする（すなわち、間隙を塞ぐ）ための装置および方法を提供する。これは、ＥＭＩガスケットを用いるが、ＥＭＩガスケットを合わせ面と十分に接触させるのに必要な挿入力に依存せずに成し遂げられる。これらの装置および方法は、ブレードや、電源などの他の挿入可能な電子部品のバルクヘッドに、そして蓋、パネル、カバー、アクセスドア、およびＥＭＩシールドを提供するかまたは用いる開口可能、挿入可能、または取り外し可能な他の構成要素に用いられることができる。簡単のため、これらの構成要素を、以下、総称的に「デバイス」と呼び、これらの構成要素の取り付け、挿入、装着、閉塞、またはＥＭＩ放射が通過に対して空間をシールする（すなわち、間隙を塞ぐ）必要のある他の動作を、以下、総称的に「取り付け」と呼ぶ。
【００１６】
本発明の実施形態は、ＥＭＩガスケット機構を提供する。ＥＭＩガスケット機構は、これらの機構を用いるかまたはこれらの機構により効果が得られるデバイスの取り付けとは独立して作動されることができる。このようなＥＭＩガスケット機構は、通常、デバイスが取り付けられた後に作動される。したがって、ＥＭＩガスケット機構の始動（作動）は、デバイスを取り付けるために用いられる挿入力に貢献せず、またはこれに依存しない。
【００１７】
第１の実施形態は、プレートと圧縮リングとの間に配設された弾性ＥＭＩガスケットを含む。この実施形態はまた、プレートおよび圧縮リングに動作可能に連結（リンク）されるカムレバーまたは他の駆動部を含む。カムレバーは、プレートおよび圧縮リングを互いに近接させるように動作させ、それによって、弾性ＥＭＩガスケットを強く押し付け（圧縮ないしは圧搾し）、ガスケットの一部を好ましくはプレートの縁部からはみ出るようにさせるために用いることができる。ガスケットのはみ出し部分は、デバイスが取り付けられる際にデバイスが通過した開口部の合わせ面、または隣接したデバイス上の合わせ面と接触する。この接触により、ＥＭＩガスケット機構と合わせ面との間の空間がシールされる。すなわち、この接触により、間隙は塞がれ、ＥＭＩガスケット機構と合わせ面との間に連続したＥＭＩシールドが維持される。
【００１８】
第２の実施形態は、膨張式弾性ＥＭＩガスケット、膨張式弾性ＥＭＩガスケットに接続されたポンプ、およびポンプに動作可能に連結（リンク）されたカムレバーまたは他の駆動部を備える。ポンプは、たとえば、ブラダー（ｂｌａｄｄｅｒ、嚢）であってもよい。カムレバーは、ポンプを動作させ、膨張式弾性ＥＭＩガスケットを膨張させ、それによって、ガスケットの一部をはみ出させ合わせ面と接触させるために用いることができる。
【００１９】
例を挙げる目的で、本発明は、ブレードシステムに用いられるものとして述べる。以下でさらに詳細に述べるように、ＥＭＩガスケット機構は、ブレードのバルクヘッドの１つまたは複数の合わせ面またはブレードシステムシャーシ内の開口部で用いられることができる。したがって、ブレードは、シャーシ内に取り付けられ、次に、ＥＭＩガスケット機構が、ブレードのバルクヘッドと隣接した合わせ面との間の空間をシールするように作動されることができる。しかし、当業者は、本明細書における教示を、ＥＭＩ放射の通過が抑制すなわち防止されなければならない他の状況に適用することができる。その例は上記および下記に提供されている。
【００２０】
以下の説明は２つのセクションを含む。第１のセクションは、弾性ＥＭＩガスケットを用いる実施形態について述べ、第２のセクションは、膨張式弾性ＥＭＩガスケットを用いる実施形態について述べる。
【００２１】
図１Ａおよび図１Ｂは、例示的なブレードシステム１００、およびブレードシステムに取り付けられた、あるいは取り付け可能ないくつかのブレード１０６、１０８、１１０、１１２および１１４（これらはすべて、本発明の実施形態を有利に実施することができる方法を示している）を示す図を含む。ブレードシステム１００は、開口部１０４を有する筐体１０２を含み、開口部１０４からブレードが挿入されることができる。ブレードシステム１００は、当業者に既知のように、ソケット（図示せず）を有するバックプレーンを含み、そのバックプレーンにブレードが差し込まれることができる。図１Ａにおいてブレードシステム１００は、ブレード１０６がブレードシステムに部分的に挿入され、ブレード１０８、１１０および１１２がブレードシステムに完全に挿入されている状態で示されている。本発明の本実施形態の理解を容易にするため、図１Ｂは、ブレードシステム１００とは分離された（すなわち、ブレードシステム１００に挿入されていない）ブレード１１４を示す。
【００２２】
主に図１Ａに注目すると、当業者に既知のように、ブレードシステム１００の筐体１０２は、ＥＭＩシールド（図示せず）を含むことで、そこに挿入されるブレードのためのＥＭＩシールド筐体を提供する。同様に当業者に既知のように、ブレード１０６はバルクヘッド１１６を含み、バルクヘッド１１６は、ＥＭＩシールド（図示せず）を有する。同様に他のブレード１０８〜１１４は、バルクヘッド１１８、１２０、１２２、および１２４を含み、これらはそれぞれ、ＥＭＩシールド（図示せず）を含む。ＥＭＩガスケットがなければ、１２６および１２８で示されるような間隙は、通常、取り付けられたブレード１０８〜１１２のバルクヘッド１１８〜１２２の周囲にあるままである。
【００２３】
本発明のやり方（practice）によると、各バルクヘッド１１６〜１２４は、ＥＭＩガスケット機構を含む。ブレード１０６に対して例示されるように、この機構は、２つのジョー（押圧部材）１２６および１２８、ならびにジョーの間の空間１３０内の拡張可能な弾性ＥＭＩガスケット（図示せず）を含む。ブレード１０６は、好ましくは、ＥＭＩガスケット機構を作動するための２つのカムレバー１３２および１３４を含む。これらのカムレバー１３２および１３４は、非係合位置（すなわち、ブレード１０６のＥＭＩガスケット機構が作動されない位置）で示されている。他のブレード１０８〜１１４のそれぞれもまた、それぞれのＥＭＩガスケット機構を始動するための２つのカムレバー１３６、１３８、１４０、１４２、１４４、１４６、１４８および１５０を含む。ブレード１０８のカムレバー１３６および１３８もまた、非係合位置で示されている。他方、ブレード１１０、１１２および１１４のカムレバー１４０、１４２、１４４、１４６、１４８および１５０は、係合位置（すなわち、それぞれのＥＭＩガスケット機構が作動された位置）で示されている。
【００２４】
以下の説明を簡単にするため、図１Ｂにおけるブレード１１４の例示は、ブレードの角１５２を拡大し、符号１５４を付して示している。ブレード１１４に対して例示されているように、カムレバー１４８および１５０が係合位置にあり、ＥＭＩガスケット機構を作動させると、ジョー（押圧部材）１５６および１５８は、ともに近接するように駆動され、それによって、ジョーの間の拡張可能なＥＭＩガスケット１６０を強く押し付け（押圧、圧縮し）、拡張可能なＥＭＩガスケットの一部をジョーの縁部１６１および１６３を越えてはみ出させる。当該技術分野で既知のように、拡張可能なＥＭＩガスケット１６０は、バルクヘッド１２４のＥＭＩシールドに電気接続され、導電性表面を有する。拡張可能なＥＭＩガスケット１６０は、たとえば、導電性発泡体で形成されることができる。拡張可能なＥＭＩガスケット１６０ならびにジョー１５６および１５８の１つの可能な実施態様のさらなる詳細は、以下に提供される。
【００２５】
図１Ｂに例示されるブレード１１４を続けて参照すると、ＥＭＩガスケット機構が作動すると、拡張可能なＥＭＩガスケット１６０のはみ出し部分は、１６２、１６４および１６６（底部は図示せず）に示されるように、好ましくはバルクヘッド１２４の４つ全ての側部に沿ってはみ出す。カムレバー１４８および１５０が係合位置に切り替えられる前にブレード１１４がブレードシステム筐体１０２に取り付けられると、拡張可能なＥＭＩガスケット１６０のはみ出し部分は、隣接したブレードの拡張可能なＥＭＩガスケット等の合わせ面、またはブレードシステム筐体の開口部１０４の表面１６８などの合わせ面と接触する。したがって、ブレード１１４の拡張可能なＥＭＩガスケット１６０は、ブレード１１４のバルクヘッド１２４と１つまたは複数の隣接した合わせ面との間のＥＭＩ放射の通過に対して（通過を抑制するように）空間をシールする。
【００２６】
以下、ＥＭＩガスケット機構の好ましい実施形態について詳細に述べる。特に、ブレード１１４のジョー１５６および１５８などのジョー（押圧部材）の実施態様、および拡張可能なＥＭＩガスケット１６０の実施態様が述べられる。
【００２７】
図２は、段付きプレート２０２、圧縮リング２０４、および段付きプレートと圧縮リングとの間の拡張可能なＥＭＩガスケット２０６を含むＥＭＩガスケット機構２００の好ましい実施形態の分解図を示す。段付きプレート２０２は、図１Ｂに示されるブレード１１４のジョー１５８に対応し、圧縮リング２０４は、ブレードのジョー１５６に対応する。しかし、この対応は逆であってもよい。段付きプレート２０２は、フェース２１２、および隆起部２１６に連なる立ち上がり部２１４を含む。フェース２１２および立ち上がり部２１４は凹部２１８を画定する。拡張可能なＥＭＩガスケット２０６は、開口部２１９を含む。隆起部２１６、および拡張可能なＥＭＩガスケット２０６の開口部２１９は、段付きプレート２０２が凹部２１８内で拡張可能なＥＭＩガスケットを収容できるような大きさに作られる。好ましくは、拡張可能なＥＭＩガスケット２０６は、拡張可能なＥＭＩガスケットが強く押し付けられていないとき、その外側縁部が段付きプレート２０２の外側縁部２２１を越えて延びない（はみ出さない）ような大きさに作られる。圧縮リング２０４は、隆起部２１６よりも大きな開口部２２０を含むため、圧縮リングは、拘束されることなく立ち上がり部２１４に沿って摺動することができる。圧縮リング２０４はまた、外側縁部２２３を有する。
【００２８】
ＥＭＩガスケット機構２００はまた、好ましくは、２つのカムレバー２２２および２２４を含む。カムレバー２２２および２２４は、２つの偏心した取付穴２２６および２２８、ならびにハンドル２３０および２３２を含む。カムレバー２２２および２２４は、非係合位置、すなわち、ハンドル２３０および２３２が圧縮リング２０４の延在する面に対して垂直の方向に延びた状態で示されている。図３は、ＥＭＩガスケット機構２００の分解されていない図を示す。カムレバー２２２および２２４は、圧縮リング２０４と隣接した位置にある。カムレバー２２２および２２４は、取付穴２２６および２２８を用いて駆動軸（図示せず）上に旋回可能に取り付けられるため、カムレバー２２２、２２４は、それぞれのハンドル２３０および２３２を揺動させることによって旋回されることができる。これらの駆動軸は、好ましくは、段付きプレート２０２に対して所定の同一距離のところに位置する。
【００２９】
ハンドル２３０および２３２が、矢印２３４および２３６で示されるように係合位置まで揺動されると、カムレバーは、圧縮リング２０４を段付きプレート２０２の方へ移動させ、それによって、拡張可能なＥＭＩガスケット２０６をフェース２１２と圧縮リング２０４との間で強く押し付けさせ、拡張可能なＥＭＩガスケット２０６の一部を、段付きプレートの縁部２２１を越えてはみ出させる。ＥＭＩガスケットはまた、好ましくは（但し、必須ではない）圧縮リング２０４の縁部２２３を越えてはみ出す。断面形状で考えると、拡張可能なＥＭＩガスケット２０６を、１つの次元に沿って強く押し付け、それによって少なくとも１つの他の次元にはみ出させる。本実施例では、拡張可能なＥＭＩガスケット２０６は、Ｘ軸に沿う次元３００に強く押し付けられ、それによって、Ｚ軸に沿う次元３０２およびＹ軸に沿う次元３０４に膨張させる。
【００３０】
一旦係合すると、カムレバー２２２および２２４と圧縮リング２０４との間に摩擦があるので、カムレバーが非係合位置に手動で戻されるまで、その係合位置からカムレバーは離れない。あるいは、カムレバー２２２および２２４の位置を固定するために、ブラケット、ロック、または他の機構を用いることもできる。本実施形態では、カムレバー２２２および２２４が少なくとも係合しているときには、カムレバー２２２および２２４は圧縮リング２０４と接触しているが、必ずしもこのように接触している必要はない。カムレバーは別例として、圧縮リング２０４と動作可能に連結され、カムレバーと圧縮リングとの間に他の要素が介在していてもよい。
【００３１】
図４は、カムレバー２２２および２２４が非係合位置で示されている、ＥＭＩガスケット機構２００の上面図である。カムレバー２２２および２２４が非係合位置にある状態では、拡張可能なＥＭＩガスケット２０６は、好ましくは、段付きプレート２０２の縁部２２１を越えて（縁部２２１よりも外側に向かって）はみ出さない。
【００３２】
図５は、カムレバー２２２および２２４が係合位置にある状態で示される、ＥＭＩガスケット２００の上面図である。カムレバー２２２および２２４が係合位置にある状態では、拡張可能なＥＭＩガスケット２０６は、圧縮リング２０４と段付きプレート２０２との間で強く押し付けられている。したがって、現時点（図５に示される状態）では、拡張可能なＥＭＩガスケット２０６は、符号５００および５０２で示されるように、段付きプレート２０２の縁部２２１を越えて（縁部２２１よりも外側に向かって）はみ出している。
【００３３】
図６は、拡張可能なＥＭＩガスケットが圧縮リング２０４と段付きプレート２０２との間で強く押し付けられた後のＥＭＩガスケット２００の斜視図である。図示が煩雑になるのを避けるため、カムレバー２２２および２２４は、図６に示されていない。
【００３４】
しばらくの間図２に戻ると、立ち上がり部（riser）２１４は、好ましくは、拡張可能なＥＭＩガスケット２０６が圧縮リング２０４と段付きプレート２０２との間で強く押し付けられているとき、拡張可能なＥＭＩガスケット２０６が内側（隆起部２１６に向かう側、あるいはＥＭＩガスケット２０６のはみ出し部分が表面２２１、２２３から離れる側）にはみ出すのを防止するように、または少なくともはみ出す量を制限するように位置している。したがって、立ち上がり部２１４は、上記のような作用を有する停止部として機能する。しかし、ＥＭＩガスケット２０６が圧縮リング２０４と段付きプレート２０２との間で強く押し付けられるとき、このような停止部がなくても、拡張可能なＥＭＩガスケットが段付きプレートの縁部を十分に越えてはみ出す場合、立ち上がり部２１４は、拡張可能なＥＭＩガスケット２０６の内側へのはみ出しを制限する必要はない。したがって、停止部は任意選択である。
【００３５】
拡張可能なＥＭＩガスケット２０６は、全体的に導電性であるか、または導電性の外面、コーティング、もしくはカバーリングが設けられた中実または中空のエラストマー材料で形成されることができる。たとえば、拡張可能なＥＭＩガスケット２０６は、導電性エラストマー、導電性発泡体、編まれたワイヤーメッシュ、導電性塗料でコーティングされているか、もしくは編まれたワイヤーメッシュで覆われた非導電性エラストマー、または２つのジョー（押圧部材）の間で強く押し付けられると利用可能な空間にはみ出す他の弾性材料で形成されることができる。
【００３６】
好ましくは、拡張可能なＥＭＩガスケット２０６は、バルクヘッドのＥＭＩシールドに電気接続されている。これは、好ましくは、拡張可能なＥＭＩガスケット２０６と接触する段付きプレート２０２または圧縮リング２０４の少なくとも部分を、導電性材料を用いて形成し、これらの部分をバルクヘッドのＥＭＩシールドに電気接続することによって成し遂げられる。たとえば、フェース２１２、立ち上がり部２１４、または圧縮リング２０４のすべてもしくは部分は、銅、アルミニウム、ニッケル、導電性プラスチック、もしくは導電性コーティングが塗布された非導電性材料で形成されることができる。
【００３７】
ＥＭＩガスケット機構２００は、好ましくは、２つのカムレバー２２２および２２４を有することで、カムレバーが圧縮リング２０４に与える力を均等に分配するので、拡張可能なＥＭＩガスケット２０６は、この拡張可能なＥＭＩガスケット２０６が強く押し付けられると、段付きプレート２０２の周囲にほぼ等しくはみ出す。しかし、これより多くのまたは少ないカムレバーを用いる構成も可能である。あるいは、ネジ、クランプスローレバー、プッシュボタン、ターンノブ、またはトグル等の他の機構も、これらの代替の機構によって圧縮リング２０４が段付きプレート２０２に対して拡張可能なＥＭＩガスケット２０６を強く押し付けさせることができるものであれば、カムレバーの代わりに用いることができる。たとえば、圧縮リング２０４に設けられるネジを切っていない部分を貫通し、段付きプレート２０２にねじ込まれるネジを用いれば、段付きプレートおよび圧縮リングを共に近づいて拡張可能なＥＭＩガスケット２０６を押圧するよう、またはこれら段付きプレートおよび圧縮リングを互いに離すように回転されることができる。さらに、段付きプレートおよび圧縮リング以外の構成も、拡張可能なＥＭＩガスケット２０６を強く押し付けるために用いることができる。たとえば、拡張可能なＥＭＩガスケット２０６は、２つのプレートの間に挟まれることができる。さらに、例示的なＥＭＩガスケット機構２００は矩形であるが、本発明によるＥＭＩガスケット機構は、任意の形状で提供されることができる。
【００３８】
図７は、段付きプレート７０２、プレート７０４、および段付きプレートとプレートとの間の膨張式の拡張可能なＥＭＩガスケット７０６を含むＥＭＩガスケット機構７００の他の実施形態の分解図である。段付きプレート７０２およびプレート７０４は、上記のように、バルクヘッドのジョー（押圧部）に対応する。段付きプレート７０２は、隆起部７１２に連なるフェース７０８および立ち上がり部７１０を含む。フェース７０８および立ち上がり部７１０は、凹部７１４を画定する。膨張式の拡張可能なＥＭＩガスケット７０６は、中空の膨張式の拡張可能な部分７１６（以下、「膨張部」と呼ぶ）、およびネック部７２０を介して膨張部と流体連通する圧縮可能なブラダー（嚢）７１８を含む。膨張式の拡張可能なＥＭＩガスケット７０６は、好ましくは、水などの、加圧による圧縮が比較的少ない流体で満たされる。あるいは、膨張式の拡張可能なＥＭＩガスケット７０６は、空気などのより圧縮性の高い物質で満たされることができる。
【００３９】
隆起部７１２は、中空部７２２および間隙７２４を含む。隆起部７１２および膨張式の拡張可能なＥＭＩガスケット７０６の内側寸法７２６は、段付きプレート７０２が凹部７１４内に膨張式の拡張可能なＥＭＩガスケットを収容することができるような大きさに作られる。膨張式の拡張可能なＥＭＩガスケット７０６は、好ましくは、ガスケットが膨張していないとき、ガスケットのどの部分も段付きプレート７０２の縁部７２５を越えてはみ出さないような大きさに作られる。中空部７２２および隆起部７１２の間隙７２４は、ブラダー７１８およびネック部７２０をそれぞれ収容するような大きさに作られ、かつそのように位置決めされている。プレート７０４は、ブラダー７１８と対応するような大きさに作られ、かつそのように位置決めされている。圧力プレート７３０は、プレート７０４内の開口部７２８内に配設される。開口部７２８は、圧力プレート７３０よりも大きいため、圧力プレートは、拘束されずに開口部内で摺動することができる。
【００４０】
ＥＭＩガスケット機構７００はまた、カムレバー７３２を有する。カムレバー７３２は、偏心した取付穴７３４およびハンドル７３６を含む。カムレバー７３２は、非係合位置で示されている。カムレバー７３２は、圧力プレート７３０に隣接して位置している。カムレバー７３２は、取付穴７３４を用いて駆動軸（図示せず）上に旋回可能に取り付けられているため、カムレバーは、そのハンドル７３６によって旋回されることができる。駆動軸は、好ましくは、段付きプレート７０２から所定の距離に位置している。
【００４１】
ハンドル７３６が矢印７３８によって示されるように係合位置まで揺動すると、カムレバーは、圧力プレート７３０を段付きプレート７０２の方に向かって移動させ、それによって、ブラダー７１８を段付きプレート７０２と圧力プレート７３０との間で強く押圧する。ブラダー７１８内の水、空気、または他の流体は、それによって、ブラダーから排出され、ネック部７２０を通って、膨張式の拡張可能なＥＭＩガスケット７０６の膨張部７１６まで移動する。このように、膨張式の拡張可能なＥＭＩガスケット７０６は膨張される。この膨張の結果、膨張式の拡張可能なＥＭＩガスケット７０６の一部は、段付きプレート７０２の縁部７２５を越えて（縁部７２５よりも外に向かって）はみ出す。拡張可能なＥＭＩガスケット７０６はまた、好ましくは（必須ではないが）、プレート７０４の縁部７２７を越えて拡張する。
【００４２】
上記の実施形態の説明で述べたように、立ち上がり部７１０は、好ましくは、膨張式の拡張可能なＥＭＩガスケットが膨張したとき、膨張式の拡張可能なＥＭＩガスケットが内側に（すなわち、隆起部７１２の方へ）はみ出すのを防止するように、または少なくともこのはみ出しの量を制限するように位置している。したがって、立ち上がり部７１０は、停止部として作用する。しかし、ＥＭＩガスケットが膨張するとき、このような停止部がなくても、膨張式の拡張可能なＥＭＩガスケットが段付きプレート７０２の縁部７２５を越えて十分にはみ出す場合、立ち上がり部７１０は、膨張式の拡張可能なＥＭＩガスケット７０６の内側へのはみ出しを制限する必要はない。したがって、停止部は任意選択である。
【００４３】
上記の実施形態の説明で述べたように、膨張式の拡張可能なＥＭＩガスケット７０６の少なくとも表面は、導電性であり、バルクヘッド内のＥＭＩシールドと電気接続されている。また、上述したように、さらに多くのカムレバーを用いてもよい。あるいは、上記のように、代替の機構が圧縮可能なブラダー７１８を強く押し付けさせ得るものであれば、そのような他の機構をカムレバーの代わりに用いることができる。
【００４４】
ブラダー７１８の代わりに、他の実施形態では、圧力プレート７３０を省略することができ、カムレバー７３２（またはその代替）に動作可能に連結され、膨張式の拡張可能なＥＭＩガスケット７０６を膨張させるピストンポンプまたは他のポンプ機構を含む。あるいは、膨張式の拡張可能なＥＭＩガスケット７０６は、ポンプ機構全体を省略することができ、その代わりに、取付部を設けて、それを通して、流体またはガスが外部源から導入されて、ガスケットを膨張させることができる。上記の実施形態に関連して考察された他の記述および代替もまた、本実施形態に適用される。
【００４５】
例を挙げる目的で、本発明は、ブレードシステムに関して述べられている。しかし、当業者は、本明細書の教示を、ＥＭＩ放射の通過に対して、空間をシールする（すなわち、間隙を塞ぐ）ための装置または方法を必要とする他の状況に適用することができる。たとえば、ブレードシステムにブレードが十分に密集して挿入されていない場合、ブランクまたはダミーバルクヘッドが、ブレードシステムの前部パネル内の残りの開口部を埋めるために用いられることができる。これらのブランクバルクヘッドは、本発明の実施形態を用いて、ブレードシステムの前部パネルにわたって、連続したＥＭＩシールドを維持するのに役立つことができる。さらに、このようなブランクバルクヘッド、または本発明のＥＭＩガスケット機構を用いる任意のデバイスは、デバイスＥＭＩシールドの一方の側から他方の側までデバイスを貫通するワイヤを含んでもよい。
【００４６】
さらに、本発明の実施形態は、必ずしも、拡張可能なＥＭＩガスケットの一部を、本発明のＥＭＩガスケット機構を用いるデバイスの外側にはみ出させる必要はない。たとえば、図８は、パネル８０６内でフランジ８０４によって画定される開口部８０２を塞ぐ蓋８００の断面を示す。拡張可能なＥＭＩガスケット８０８が配置され、圧縮リング８１０と蓋８００の内側に曲がった部分８１２との間で強く押し付けられることができる。カムレバー８１４および８１６（またはその代替）が揺動すると、拡張可能なＥＭＩガスケット８０８は強く押し付けられ、その一部はフランジ８０４の方へはみ出してこれと接触し、それによって、フランジ８０４と蓋８００との間の空間をＥＭＩ放射の通過に対してシールする。
【００４７】
拡張可能なＥＭＩガスケットは、本発明のＥＭＩガスケット機構を用いるデバイスのすべての側面においてはみ出すものとして記載されているが、本発明の他の実施では、ＥＭＩガスケット機構は、拡張可能なＥＭＩガスケットがすべての側面よりも少ない側面において、または１つもしくは複数の側面のほんの一部においてはみ出すように構成されることができる。たとえば、拡張可能なＥＭＩガスケット２０６は、立ち上がり部２１４の周囲全体に延びる矩形のループとして図２に示されているが、拡張可能なＥＭＩガスケットは、「Ｌ」、または角のない「Ｕ」形状、または単一の線形セグメントとして設けられ、隆起部の周囲の一部のみに延在してもよい。さらに、ＥＭＩガスケット機構は、ブレードシステムに挿入されるデバイスのバルクヘッドではなく、ブレードシステム筐体１０２の開口部１０４（図１Ａ）などの開口部に含まれることができる。
【００４８】
本明細書で用いられる用語および表現は、説明のために使用され、限定するものではない。したがって、これらの用語および表現を用いることは、図示もしくは記載される特徴の等価物またはその部分を排除することを意図するものではない。当業者であれば、上記の実施形態に基づいて、本発明のさらなる特徴および利点、ならびに他の変更が請求されている本発明の範囲内で可能であることを認識するであろう。したがって、本発明は、添付の特許請求の範囲に示されている以外に、特に図示および記載されているものによって限定されるものではない。本明細書で引用されているすべての公報および参考文献は、本明細書中に、その全体を参照により明示的に援用する。
【図面の簡単な説明】
【００４９】
【図１Ａ】本発明の実施形態を実施することができる、ブレードシステムの例を示す斜視図である。
【図１Ｂ】本発明の実施形態を実施することができる、ブレードシステムの例から外した状態にあるブレードを示す斜視図である。
【図２】図１Ａ、図１Ｂのブレードシステムにおいて用いられ得る、本発明によるＥＭＩガスケット機構の第１の実施形態の例を示す分解図である。
【図３】図２に示すＥＭＩガスケット機構の第１の例で分解されていない状態を示す図である。
【図４】ＥＭＩガスケット機構が係合していない状態にある、図２に示すＥＭＩガスケット機構の第１の例の上面図である。
【図５】ＥＭＩガスケット機構が係合した状態にある、図２に示すＥＭＩガスケット機構の第１の例の上面図である。
【図６】ＥＭＩガスケット機構が係合した状態にある、図２に示すＥＭＩガスケット機構の第１の例を部分的に示す斜視図である。
【図７】図１Ａおよび図１Ｂのブレードシステムにおいて用いられることができる、本発明によるＥＭＩガスケット機構の第２の例を示す実施形態の分解図である。
【図８】本発明によるＥＭＩガスケット機構の第３の例を示す実施形態の断面図である。
【符号の説明】
【００５０】
１００  ブレードシステム
１０２  筐体
１０４  開口部
１０６、１０８、１１０、１１２、１１４  ブレード
１１６、１１８、１２０、１２２、１２４  バルクヘッド
１２６、１３８    ジョー（押圧部材）
２００、７００  ＥＭＩガスケット機構
２０２  段付きプレート
２０６、７０６  ＥＭＩガスケット
２２１、２２３  縁部
２２２、２３２、７３２  カムレバー（駆動部）
７１８  ブラダー（嚢）
７３０  圧力プレート
【図１Ａ】
2005101608.tif 000003
【図１Ｂ】
2005101608.tif 000004
【図２】
2005101608.tif 000005
【図３】
2005101608.tif 000006
【図４】
2005101608.tif 000007
【図５】
2005101608.tif 000008
【図６】
2005101608.tif 000009
【図７】
2005101608.tif 000010
【図８】
2005101608.tif 000011